(57)【特許請求の範囲】
【請求項１】
その両面からの表示画像の視認が可能である表示パネルと、
該表示パネルの両面夫々に設けられ、該両面夫々へのタッチ操作を受け付ける受付手段と、
所定時間を計時する計時手段と、
前記受付手段の受付結果に基づいて、前記所定時間内での前記表示パネルの一方の面へのタッチ操作の回数及び他方の面へのタッチ操作の回数を夫々計数する計数手段と、
該計数手段の計数結果に基づいて表示画像を反転すべきか否かを判断する判断手段と、
該判断手段により反転すると判断した場合に、表示画像を反転させる反転手段と
を備えることを特徴とする透過型表示装置。
【請求項２】
前記表示パネルは分割された複数の領域ごとに独立的に画像表示が可能であり、前記反転手段は、前記複数の領域ごとに表示画像を反転させるように構成してあることを特徴とする請求項１記載の透過型表示装置。
【請求項３】
前記複数の領域の大きさを変更する変更手段を更に備えることを特徴とする請求項２記載の透過型表示装置。
【請求項４】
前記変更手段による領域の大きさの変更に応じて、該領域に表示される画像を変倍する変倍手段を更に備えることを特徴とする請求項３記載の透過型表示装置。
【請求項５】
請求項１記載の透過型表示装置を複数備えることを特徴とする表示システム。
【請求項６】
前記複数の透過型表示装置夫々により反転された画像の表示位置を変更する位置変更手段を更に備えることを特徴とする請求項５記載の表示システム。
【請求項７】
その両面からの表示画像の視認が可能である表示パネルを備える透過型表示装置での表示方法であって、
前記表示パネルの両面夫々へのタッチ操作を受け付け、
受け付けた結果に基づいて、所定時間内での前記表示パネルの一方の面へのタッチ操作の回数及び他方の面へのタッチ操作の回数を夫々計数し、
計数した結果に基づいて表示画像を反転すべきか否かを判断し、
反転すると判断した場合に、表示画像を反転させることを特徴とする表示方法。
【発明の詳細な説明】
【技術分野】
【０００１】
本発明は、前面側及び背面側からの表示画像の視認が可能である表示パネルを有する透過型表示装置、該透過型表示装置を複数備える表示システム、及び、前記透過型表示装置を用いて画像を表示する表示方法に関する。
【背景技術】
【０００２】
透過型液晶パネルなどの透過型表示パネルを用いた透過型表示装置が、ＰＤＡなどの携帯端末に広く利用されている（例えば特許文献１，２）。
【先行技術文献】
【特許文献】
【０００３】
【特許文献１】特開２００６−２１６０８７号公報
【特許文献２】特開２００７−１６４７６７号公報
【発明の概要】
【発明が解決しようとする課題】
【０００４】
背面透過型の表示パネル（液晶パネル）を用いた透過型表示装置では、前面側及び背面側の両側から、表示された画像の視認が可能である。
【０００５】
図１１は、透過型表示装置で視認される表示画像の例を示す模式図であり、図１１（ａ）は表示パネルの前面側に位置するユーザにより前面側から視認される表示画像を示しており、図１１（ｂ）は図１１（ａ）と同じタイミングで表示パネルの背面側に位置するユーザにより背面側から視認される表示画像を示している。前面側からは適正な画像が視認されるが、背面側からは、その適正な画像が裏返された画像が視認される。
【０００６】
前面側に位置するユーザは、正しい画像（正像）が表示されるので適正な表示画像を視認できる。しかしながら、背面側に位置するユーザは、裏返された画像しか視認できない。よって、背面側に位置するユーザは、表示内容が見にくく、利便性が悪いという問題がある。
【０００７】
本発明は斯かる事情に鑑みてなされたものであり、ユーザが前面、背面の何れをタッチしたかを検知し、その検知結果に基づいて必要があれば画像を反転表示することにより、前面側に位置するユーザ及び背面側に位置するユーザの何れもが、適正な画像（正像）を視認することができる透過型表示装置を提供することを目的とする。
【課題を解決するための手段】
【０００８】
本発明に係る透過型表示装置は、その両面からの表示画像の視認が可能である表示パネルと、該表示パネルの両面夫々に設けられ、該両面夫々へのタッチ操作を受け付ける受付手段と、所定時間を計時する計時手段と、前記受付手段の受付結果に基づいて、前記所定時間内での前記表示パネルの一方の面へのタッチ操作の回数及び他方の面へのタッチ操作の回数を夫々計数する計数手段と、該計数手段の計数結果に基づいて表示画像を反転すべきか否かを判断する判断手段と、該判断手段により反転すると判断した場合に、表示画像を反転させる反転手段とを備えることを特徴とする。
【０００９】
本発明の透過型表示装置によれば、表示パネルにタッチ操作がなされた場合に、そのタッチ操作が表示パネルの前面へのタッチ操作か表示パネルの背面へのタッチ操作かを判定し、その判定結果に基づいて表示画像を反転すべきであるか否かを判断し、反転すべきであると判断した場合に表示画像を反転させる。例えば、表示パネルの前面側から適正な画像が視認され、表示パネルの背面側からは裏返された画像が視認されるように画像表示がなされている場合に、表示パネルの背面にユーザのタッチ操作がなされると、画像を反転させて表示する。この結果、タッチ操作を行った背面側のユーザは、適正な画像を視認することができる。なお、上記の場合に、表示パネルの前面にタッチ操作がなされたときには、画像を反転させないでそのまま表示する。このように、本発明の透過型表示装置によれば、表示パネルの前面側及び背面側の両方から適正な画像を視認できる。
本発明の透過型表示装置によれば、所定時間内になされた表示パネルの前面へのタッチ操作の回数と、前記所定時間内になされた表示パネルの背面へのタッチ操作の回数とを計数し、その計数結果に基づいて表示画像を反転すべきか否かを判断し、反転すべきと判断した場合に、表示画像を反転させる。例えば、所定時間内での前面へのタッチ操作の回数が背面へのタッチ操作の回数より多く、所定時間経過後に、背面側から適正な画像が視認され、前面側からは裏返された画像が視認されるように画像表示がなされている場合には、表示画像を反転させる。よって、ユーザが視認する確率が高い側に合わせて、画像を適正に視認するように設定できる。
【００１０】
本発明に係る透過型表示装置は、前記表示パネルは分割された複数の領域ごとに独立的に画像表示が可能であり、前記反転手段は、前記複数の領域ごとに表示画像を反転させるように構成してあることを特徴とする。
【００１１】
本発明の透過型表示装置によれば、表示パネルは複数の表示領域に分割されており、表示領域毎に異なる種類の画像がそれぞれ表示されている。前面へのタッチ操作か背面へのタッチ操作かを判定するだけでなく、そのタッチ操作がなされた位置を検知し、その検知された位置に応じた領域での画像の反転の要否が判断される。例えば、表示パネルのある領域に関して前面側から適正な画像が視認され、背面側からは裏返された画像が視認されるように画像表示がなされている場合に、表示パネルの背面の前記領域にユーザのタッチ操作がなされると、前記領域の画像を反転させて表示する。この結果、タッチ操作を行った背面側のユーザは、適正な画像を視認することができる。この際、前記領域以外の他の領域については画像の反転が行われない。よって、ユーザは所望する画像のみを適正に視認することができる。
【００１２】
本発明に係る透過型表示装置は、前記複数の領域の大きさを変更する変更手段を更に備えることを特徴とする。
【００１３】
本発明の透過型表示装置によれば、異なる種類の画像がそれぞれ表示される分割された領域の大きさの変更が可能である。よって、画像の種類に応じて任意の大きさの表示領域を設定できる。
【００１４】
本発明に係る透過型表示装置は、前記変更手段による領域の大きさの変更に応じて、該領域に表示される画像を変倍する変倍手段を更に備えることを特徴とする。
【００１５】
本発明の透過型表示装置によれば、表示領域の大きさの変更に応じて、その領域に表示される画像を変倍する。よって、表示領域の大きさの変更に合わせて、表示画像が適正に変倍されるため、表示画像が領域からはみ出たり、表示画像が小さくて視認しにくいという不都合を解消できる。
【００１８】
本発明に係る表示システムは、上記の透過型表示装置を複数備えることを特徴とする。
【００１９】
本発明の表示システムによれば、各透過型表示装置にて独立的に反転処理を行えるため、反転表示のための画像処理の負担を低減することができる。
【００２０】
本発明に係る表示システムは、前記複数の透過型表示装置夫々により反転された画像の表示位置を変更する位置変更手段を更に備えることを特徴とする。
【００２１】
本発明の表示システムによれば、各透過型表示装置で反転された画像の表示位置を位置変更手段にて変更できるため、任意の位置に反転画像を表示でき、視認の利便性を高めることができる。
【００２２】
本発明に係る表示方法は、その両面からの表示画像の視認が可能である表示パネルを備える透過型表示装置での表示方法であって、前記表示パネルの両面夫々へのタッチ操作を受け付け、受け付けた結果に基づいて、所定時間内での前記表示パネルの一方の面へのタッチ操作の回数及び他方の面へのタッチ操作の回数を夫々計数し、計数した結果に基づいて表示画像を反転すべきか否かを判断し、反転すると判断した場合に、表示画像を反転させることを特徴とする。
【００２３】
本発明の表示方法によれば、ユーザによりなされた表示パネルに対するタッチ操作が、表示パネルの前面へのタッチ操作か背面へのタッチ操作かを判定し、その判定結果に基づいて表示画像を反転すべきか否かを判断し、反転すべきと判断した場合に表示画像を反転させる。例えば、前面側から適正な画像が視認され、背面側からは裏返された画像が視認されるような表示がなされている状態で、背面にタッチ操作がなされた場合、画像を反転させて表示する。この結果、タッチ操作を行った背面側のユーザは、適正な画像を視認することができる。なお、上記の状態で、前面にタッチ操作がなされた場合には、画像を反転させない。このように、本発明の表示方法によれば、表示パネルの前面側及び背面側の両方から適正な画像を視認できる。
本発明の表示方法によれば、所定時間内になされた表示パネルの前面へのタッチ操作の回数と、前記所定時間内になされた表示パネルの背面へのタッチ操作の回数とを計数し、その計数結果に基づいて表示画像を反転すべきか否かを判断し、反転すべきと判断した場合に、表示画像を反転させる。例えば、所定時間内での前面へのタッチ操作の回数が背面へのタッチ操作の回数より多く、所定時間経過後に、背面側から適正な画像が視認され、前面側からは裏返された画像が視認されるように画像表示がなされている場合には、表示画像を反転させる。よって、ユーザが視認する確率が高い側に合わせて、画像を適正に視認するように設定できる。
【発明の効果】
【００２４】
本発明では、ユーザが視認する側を認識し、その認識結果に応じて必要があれば表示されている画像を反転するようにしたので、ユーザは自身の位置（前面側か、背面側か）に関係なく、常に適正な画像を視認することができる。
【図面の簡単な説明】
【００２５】
【図１】第１実施の形態による透過型表示装置の構成を示すブロック図である。
【図２】第１実施の形態の透過型表示装置における動作手順を示すフローチャートである。
【図３】第２実施の形態による透過型表示装置の構成を示すブロック図である。
【図４】第２実施の形態の透過型表示装置における動作手順を示すフローチャートである。
【図５】第３実施の形態による透過型表示装置の構成を示すブロック図である。
【図６】第４実施の形態による透過型表示装置の構成を示すブロック図である。
【図７】第５実施の形態による透過型表示装置の構成を示すブロック図である。
【図８】第５実施の形態の透過型表示装置における動作手順を示すフローチャートである。
【図９】第６実施の形態による表示システムの構成を示すブロック図である。
【図１０】第６実施の形態の表示システムにおける表示例を示す図である。
【図１１】透過型表示装置で視認される表示画像の例を示す模式図である。
【発明を実施するための形態】
【００２６】
以下、本発明をその実施の形態を示す図面を参照して具体的に説明する。
【００２７】
（第１実施の形態）
図１は、本発明の第１実施の形態による透過型表示装置の構成を示すブロック図である。第１実施の形態の透過型表示装置は、透過型の液晶パネル１と、第１タッチパネル２と、第２タッチパネル３と、判定部４と、画像処理部１０とを備えている。画像処理部１０は、主制御部１１と、表示制御部１２と、反転部１３とを有している。反転部１３は、メモリ制御部１３ａ及びバッファメモリ１３ｂを含む。
【００２８】
表示パネルとしての透過型の液晶パネル１は、例えば、街角に置かれた電子広告看板である。この液晶パネル１は、その前面側及び背面側の両側から表示画像の視認が可能である。この際、背面側からは前面側から視認される表示画像が裏返った表示画像が視認される。すなわち、前面側から適正な画像が視認されるときには、背面側からは、その適正な画像が裏返された画像が視認され、背面側から適正な画像が視認されるときには、前面側からは、その適正な画像が裏返された画像が視認される。本発明の液晶パネル１では、画像処理部１０（反転部１３）の処理により、このような視認形態の切り替え（表示画像の反転）を行えるようになっている。
【００２９】
液晶パネル１の前面には、ユーザによるタッチ操作を受け付ける受付手段としての第１タッチパネル２が設けられ、液晶パネル１の背面には、ユーザによるタッチ操作を受け付ける受付手段しての第２タッチパネル３が設けられている。第１タッチパネル２及び第２タッチパネル３は、同様の構成をなしており、圧電素子（図示せず）を内蔵し、ユーザによるタッチ操作による押圧力を検知し、その検知結果に基づいてタッチ操作の有無を検出し、その検出結果を判定部４へ出力する。
【００３０】
判定部４は、第１タッチパネル２及び第２タッチパネル３からの入力に基づいて、液晶パネル１の前面へのタッチ操作か、液晶パネル１の背面へのタッチ操作かを判定し、その判定結果を画像処理部１０へ出力する。
【００３１】
画像処理部１０の表示制御部１２は、画像メモリ３０から表示すべき画像データを取得し、表示用の画像情報及び制御信号を液晶パネル１へ出力して、液晶パネル１での表示動作を制御する。また、画像処理部１０の反転部１３は、必要に応じて、液晶パネル１での表示画像を反転する処理（液晶パネル１での表示形態（前面側から適正な画像を視認できる表示形態または背面側から適正な画像を視認できる表示形態）を変更する処理）を行う。表示すべき画像データを一旦バッファメモリ１３ｂに格納し、その読出しアドレスを制御することにより、このような表示画像を反転する処理が行われる。
【００３２】
バッファメモリ１３ｂへの画像データの書込み及びバッファメモリ１３ｂからの画像データの読出しは、メモリ制御部１３ａにて制御される。なお、読出しアドレスを制御することによって表示画像の反転処理を行うようにしたが、バッファメモリ１３ｂへの画像データの書込みアドレスを制御して表示画像の反転処理を行っても良い。画像処理部１０の主制御部１１は、透過型表示装置の各構成部材の動作を制御する。また、主制御部１１は、表示画像を反転する処理を行うべきか否かを判断する。
【００３３】
次に、上述したような構成をなす第１実施の形態の透過型表示装置の動作を説明する。図２は、その動作手順を示すフローチャートである。
【００３４】
判定部４は、第１タッチパネル２または第２タッチパネル３からの入力を待っており（ステップＳ１）、何れかのタッチパネルからの入力があったか否かを判断する（ステップＳ２）。入力がない場合に（Ｓ２：ＮＯ）、動作がＳ１に戻って、判定部４は入力待ちとなる。
【００３５】
何れかのタッチパネルからの入力があった場合（Ｓ２：ＹＥＳ）、判定部４は，その入力が第１タッチパネル２からの入力であるか否かを判断する（ステップＳ３）。第１タッチパネル２からの入力である場合（Ｓ３：ＹＥＳ）、つまり、液晶パネル１の前面へのタッチ操作が行われた場合、主制御部１１は、現在の適正な画像表示が液晶パネル１の前面でなされているか否かを判断する（ステップＳ４）。
【００３６】
適正な画像表示が前面でなされている場合（Ｓ４：ＹＥＳ）、つまり、液晶パネル１の前面側から適正な画像（正像）が視認される場合、そのまま動作が終了する。よって、液晶パネル１の前面にタッチしたユーザは、そのまま前面側から適正な画像を視認できる。
【００３７】
一方、適正な画像表示が前面でなされていない場合（Ｓ４：ＮＯ）、つまり、適正な画像表示が背面でなされていて背面側から適正な画像が視認される場合、主制御部１１は、反転部１３を制御して画像表示の反転処理を行わせて、反転した画像を液晶パネル１に表示する（ステップＳ５）。この反転処理の結果、液晶パネル１の前面にタッチしたユーザは、前面側から適正な画像を視認できる。
【００３８】
第１タッチパネル２からの入力でない場合（Ｓ３：ＮＯ）、つまり、液晶パネル１の背面へのタッチ操作が行われた場合、主制御部１１は、現在の適正な画像表示が液晶パネル１の背面でなされているか否かを判断する（ステップＳ６）。
【００３９】
適正な画像表示が背面でなされている場合（Ｓ６：ＹＥＳ）、つまり、液晶パネル１の背面側から適正な画像が視認される場合、そのまま動作が終了する。よって、液晶パネル１の背面にタッチしたユーザは、そのまま背面側から適正な画像を視認できる。
【００４０】
一方、適正な画像表示が背面でなされていない場合（Ｓ６：ＮＯ）、つまり、適正な画像表示が前面でなされていて前面側から適正な画像が視認される場合、主制御部１１は、反転部１３を制御して画像表示の反転処理を行わせて、反転した画像を液晶パネル１に表示する（ステップＳ７）。この反転処理の結果、液晶パネル１の背面にタッチしたユーザは、背面側から適正な画像を視認できる。
【００４１】
（第２実施の形態）
図３は、本発明の第２実施の形態による透過型表示装置の構成を示すブロック図である。第２実施の形態の透過型表示装置は、透過型の液晶パネル１と、第１タッチパネル２と、第２タッチパネル３と、判定部４と、画像処理部１０とを備えている。画像処理部１０は、主制御部１１と、表示制御部１２と、反転部１３と、領域特定部１４とを有している。反転部１３は、メモリ制御部１３ａ及びバッファメモリ１３ｂを含む。なお、図１に示す第１実施の形態と同一または同様な部材には同一番号を付して、それらの詳細な説明は省略する。
【００４２】
液晶パネル１は、表示面が複数の領域に分割されており、複数の表示領域それぞれに異なる種類の画像（広告）の表示が可能である。第１タッチパネル２及び第２タッチパネル３は、タッチ操作の有無に加えてそのタッチ操作の位置（座標）を検出し、その検出結果を判定部４へ出力する。判定部４は、第１タッチパネル２及び第２タッチパネル３からの入力に基づいて、液晶パネル１の前面のどの位置（座標）へのタッチ操作か、液晶パネル１の背面のどの位置（座標）へのタッチ操作かを判定し、その判定結果を、画像処理部１０へ出力する。
【００４３】
画像処理部１０の領域特定部１４は、領域データメモリ４０に格納されている領域データを参照して、検出されたタッチ操作の位置（座標）の情報に基づき、液晶パネル１における領域を特定する。主制御部１１は、分割された液晶パネル１の各領域を単位として、その領域に表示されている画像を反転する処理を行うべきか否かを判断する。
【００４４】
次に、上述したような構成をなす第２実施の形態の透過型表示装置の動作を説明する。図４は、その動作手順を示すフローチャートである。
【００４５】
判定部４は、第１タッチパネル２または第２タッチパネル３からの入力を待っており（ステップＳ１１）、何れかのタッチパネルからの入力があったか否かを判断する（ステップＳ１２）。入力がない場合に（Ｓ１２：ＮＯ）、動作がＳ１１に戻って、判定部４は入力待ちとなる。
【００４６】
何れかのタッチパネルからの入力があった場合（Ｓ１２：ＹＥＳ）、判定部４は，その入力が第１タッチパネル２からの入力であるか否かを判断する（ステップＳ１３）。第１タッチパネル２からの入力である場合（Ｓ１３：ＹＥＳ）、領域特定部１４は、検出されたタッチ操作の位置（座標）の情報に基づいて液晶パネル１の前面における領域を特定する（ステップＳ１４）。
【００４７】
主制御部１１は、その特定された領域における現在の適正な画像表示が液晶パネル１の前面でなされているか否かを判断する（ステップＳ１５）。適正な画像表示が前面の領域でなされている場合（Ｓ１５：ＹＥＳ）、つまり、液晶パネル１の前面側からその特定された領域で適正な画像が視認される場合、そのまま動作が終了する。よって、液晶パネル１の前面の所望位置にタッチしたユーザは、そのタッチ位置に応じた領域での画像をそのまま適正に視認できる。
【００４８】
一方、適正な画像表示が前面の領域でなされていない場合（Ｓ１５：ＮＯ）、つまり、その特定された領域での適正な画像表示が背面でなされていて背面側から適正な画像が視認される場合、主制御部１１は、反転部１３を制御して画像表示の反転処理を行わせて、反転した画像を液晶パネル１の特定された領域に表示する（ステップＳ１６）。この反転処理の結果、液晶パネル１の前面の所望位置にタッチしたユーザは、前面側から適正な画像を視認できる。
【００４９】
第１タッチパネル２からの入力でない場合（Ｓ１３：ＮＯ）、つまり、液晶パネル１の背面へのタッチ操作が行われた場合、領域特定部１４は、検出されたタッチ操作の位置（座標）の情報に基づいて液晶パネル１の背面における領域を特定する（ステップＳ１７）。主制御部１１は、その特定された領域における現在の適正な画像表示が液晶パネル１の背面でなされているか否かを判断する（ステップＳ１８）。適正な画像表示が背面の領域でなされている場合（Ｓ１８：ＹＥＳ）、つまり、液晶パネル１の背面側からその特定された領域で適正な画像が視認される場合、そのまま動作が終了する。よって、液晶パネル１の背面の所望位置にタッチしたユーザは、そのタッチ位置に応じた領域での画像をそのまま適正に視認できる。
【００５０】
一方、適正な画像表示が背面の領域でなされていない場合（Ｓ１８：ＮＯ）、つまり、その特定された領域での適正な画像表示が前面でなされていて前面側から適正な画像が視認される場合、主制御部１１は、反転部１３を制御して画像表示の反転処理を行わせて、反転した画像を液晶パネル１の特定された領域に表示する（ステップＳ１９）。この反転処理の結果、液晶パネル１の背面の所望位置にタッチしたユーザは、背面側から適正な画像を視認できる。
【００５１】
（第３実施の形態）
図５は、本発明の第３実施の形態による透過型表示装置の構成を示すブロック図である。第３実施の形態は第２実施の形態の変形例であり、第３実施の形態の透過型表示装置は、第２実施の形態と同様な液晶パネル１、第１タッチパネル２、第２タッチパネル３、判定部４、画像処理部１０（主制御部１１、表示制御部１２、反転部１３（メモリ制御部１３ａ及びバッファメモリ１３ｂ）、領域特定部１４を備えており、画像処理部１０は領域サイズ変更部１５を更に有している。なお、図３に示す第２実施の形態と同一または同様な部材には同一番号を付して、それらの詳細な説明は省略する。
【００５２】
領域サイズ変更部１５は、領域データメモリ４０に格納されている領域データを読み出し、読み出した領域データのサイズを変更する。よって、領域サイズ変更部１５により、液晶パネル１の表示面が分割されてなる複数の領域それぞれのサイズが変更される。サイズが変更された領域データは、領域データメモリ４０に格納される。
【００５３】
第３実施の形態では、液晶パネル１における表示面の分割を任意のサイズにて行える。したがって、広告の大きさに応じて、液晶パネル１でのその表示面積のサイズを大きくしたり小さくしたりすることが可能である。このように表示面積を自在に変更できるので、電子広告看板として液晶パネル１を設置した設置業者が、広告を依頼した依頼主に、その広告の表示面積に応じた課金を行うことができる。
【００５４】
（第４実施の形態）
図６は、本発明の第４実施の形態における透過型表示装置の構成を示すブロック図である。第４実施の形態は第３実施の形態の変形例であり、第４実施の形態の透過型表示装置は、第３実施の形態と同様な液晶パネル１、第１タッチパネル２、第２タッチパネル３、判定部４、画像処理部１０（主制御部１１、表示制御部１２、反転部１３（メモリ制御部１３ａ及びバッファメモリ１３ｂ）、領域特定部１４、領域サイズ変更部１５を備えており、画像処理部１０は画像変倍部１６を更に有している。なお、図５に示す第３実施の形態と同一または同様な部材には同一番号を付して、それらの詳細な説明は省略する。
【００５５】
画像変倍部１６は、領域サイズ変更部１５により変更された領域のサイズに応じて、表示内容を変倍する。
【００５６】
第４実施の形態では、分割された各領域における表示内容を変倍できる。したがって、領域サイズ変更部１５により表示領域の大きさを変更した場合であっても、表示面積の変更に応じて、その領域に表示される画像を変倍するようにしたので、表示内容が領域からはみ出して見えなくなったり、表示内容が小さすぎて読みにくいときには、表示領域の大きさの変更に合わせて、表示画像が適正に変倍されるため、ユーザが表示内容を読みやすくすることが可能である。
【００５７】
（第５実施の形態）
図７は、本発明の第５実施の形態における透過型表示装置の構成を示すブロック図である。第５実施の形態の透過型表示装置は、透過型の液晶パネル１と、第１タッチパネル２と、第２タッチパネル３と、判定部４と、画像処理部１０とを備えている。画像処理部１０は、主制御部１１と、表示制御部１２と、反転部１３と、計時部１７と、タッチ操作計数部１８とを有している。反転部１３は、メモリ制御部１３ａ及びバッファメモリ１３ｂを含む。なお、図１に示す第１実施の形態と同一または同様な部材には同一番号を付して、それらの詳細な説明は省略する。
【００５８】
計時手段としての計時部１７はタイマからなり、計時部１７は、主制御部１１から指示される計時開始タイミングに基づいて計時動作を開始して、所定時間を計時する。タッチ操作計数部１８は、この所定時間内における判定部４からの入力（判定結果）に基づいて、その所定時間内での液晶パネル１の前面へのタッチ操作の回数及び背面へのタッチ操作の回数をそれぞれ計数する。タッチ操作計数部１８は、計数結果を内部のメモリ（図示せず）に格納する。
【００５９】
第５実施の形態の透過型表示装置の動作を、その手順を示す図８のフローチャートを参照して説明する。
【００６０】
主制御部１１は、計時部１７に計時開始の指示を与えて、計時部１７での計時処理を開始させる（ステップＳ２１）。タッチ操作計数部１８は、判定部４からの判定結果に基づいて、液晶パネル１の前面へのタッチ操作の回数と背面へのタッチ操作の回数とをそれぞれ計数する（ステップＳ２２）。主制御部１１は、計時部１７が所定時間を計時したか否かを判断する（ステップＳ２３）。
【００６１】
計時部１７が所定時間を計時していない場合に（Ｓ２３：ＮＯ）、動作がＳ２２に戻って、前面または背面へのタッチ操作の回数を計数する処理を続ける。計時部１７が所定時間を計時した場合（Ｓ２３：ＹＥＳ）、主制御部１１は、この所定時間内で計数した前面へのタッチ操作の回数とこの所定時間内で計数した背面へのタッチ操作の回数とを比較し、前者が後者より多いか否かを判断する（ステップＳ２４）。
【００６２】
前面へのタッチ操作の回数が背面へのタッチ操作の回数より多い場合（Ｓ２４：ＹＥＳ）、主制御部１１は、現在の適正な画像表示が液晶パネル１の前面でなされているか否かを判断する（ステップＳ２５）。
【００６３】
適正な画像表示が前面でなされている場合（Ｓ２５：ＹＥＳ）、つまり、液晶パネル１の前面側から適正な画像が視認される場合、そのまま動作が終了する。一方、適正な画像表示が前面でなされていない場合（Ｓ２５：ＮＯ）、つまり、適正な画像表示が背面でなされていて背面側から適正な画像が視認される場合、主制御部１１は、反転部１３を制御して画像表示の反転処理を行わせて、反転した画像を液晶パネル１に表示する（ステップＳ２６）。この反転処理の結果、液晶パネル１の前面側から適正な画像が視認される表示状態となる。
【００６４】
所定時間内で、背面へのタッチ操作の回数が前面へのタッチ操作の回数より多い場合（Ｓ２４：ＮＯ）、主制御部１１は、現在の適正な画像表示が液晶パネル１の背面でなされているか否かを判断する（ステップＳ２７）。
【００６５】
適正な画像表示が背面でなされている場合（Ｓ２７：ＹＥＳ）、つまり、液晶パネル１の背面側から適正な画像が視認される場合、そのまま動作が終了する。一方、適正な画像表示が背面でなされていない場合（Ｓ２７：ＮＯ）、つまり、適正な画像表示が前面でなされていて前面側から適正な画像が視認される場合、主制御部１１は、反転部１３を制御して画像表示の反転処理を行わせて、反転した画像を液晶パネル１に表示する（ステップＳ２８）。この反転処理の結果、液晶パネル１の背面側から適正な画像が視認される表示状態となる。
【００６６】
第５実施の形態の透過型表示装置では、上述したように、所定時間内での前面へのタッチ操作の回数が背面へのタッチ操作の回数より多く、所定時間経過後に、背面側から適正な画像が視認され、前面側からは裏返された画像が視認されるように画像表示がなされている場合、または、所定時間内での背面へのタッチ操作の回数が前面へのタッチ操作の回数より多く、所定時間経過後に、前面側から適正な画像が視認され、背面側からは裏返された画像が視認されるように画像表示がなされている場合には、表示画像を反転させるようにしたので、ユーザが視認する確率が高い側に合わせて、画像を適正に視認できるように設定することが可能である。よって、例えば、液晶パネル１へのタッチ操作が長期間にわたって行われない場合に、それまでのタッチ操作の履歴に応じた表示状態に設定できる。
【００６７】
（第６実施の形態）
第６実施の形態は、第１実施の形態の透過型表示装置を複数備えており、これらの複数の透過型表示装置を用いて画像を表示するように構成した表示システムである。この表示システムでは、複数の透過型表示装置を用いて一つの画像を表示しても良いし、複数の透過型表示装置それぞれを用いて複数の画像を表示しても良い。
【００６８】
第６実施の形態では、複数の透過型表示装置が独立的に設けられているため、前述した第２実施の形態のように、単一画面を複数の領域に分割して異なる画像を表示させて、ユーザのタッチ操作がなされた領域の画像を必要に応じて反転する場合と比べて、反転表示のための画像処理の負担を低減することができる。
【００６９】
図９は、本発明の第６実施の形態による表示システムの構成を示すブロック図である。第６実施の形態は、前述した第１実施の形態の透過型表示装置２０を複数（図９に示す例では３×３のマトリクス状に９個）備えており、これらの複数の透過型表示装置２０を用いて画像を表示する。これらの９個の透過型表示装置２０はそれぞれディスプレイの９個の表示領域に対応している。
【００７０】
各透過型表示装置２０には、選択部２１がそれぞれ接続されており、これらの選択部２１は表示位置制御部２２に接続されている。表示位置制御部２２は、所望の選択部２１を選択して、各透過型表示装置２０にて表示される画像の位置を変更制御する。
【００７１】
９個の透過型表示装置２０を用いて一つの画像を表示する場合を考える。この場合、図１０（ａ）に示すように、一つの適正な画像が９個の部分画像Ａ〜Ｉにて構成されているとする。もし、前面側において図１０（ａ）のように適正な画像が視認されているときに、各透過型表示装置２０による部分画像を単に反転させただけでは、背面側において図１０（ｂ）に示すように部分画像Ａ〜Ｉが視認されて適正な画像とはならない。そこで、一部の部分画像の表示位置を変更する。
【００７２】
具体的には、前面において図１０（ａ）のように適正な画像が視認されているときに、背面からタッチ操作がなされると、背面側から適正な画像が視認されるように画像表示が反転される。この際、一部の部分画像のディスプレイにおける表示位置も変更される。部分画像Ａに対応する選択部２１と、部分画像Ｃに対応する選択部２１とを、表示位置制御部２２が選択して制御することにより、部分画像Ａの表示位置と部分画像Ｃの表示位置とが交換される。同様に、部分画像Ｄの表示位置と部分画像Ｆの表示位置、及び、部分画像Ｇの表示位置と部分画像Ｉの表示位置とが交換される。これにより、背面側から図１０（ａ）に示すような適正な画像を視認することが可能となる。
【００７３】
このように、対応する選択部２１を選択制御することにより、各透過型表示装置２０による画像を反転した際に、その反転画像の表示位置を任意に設定することができる。したがって、９個の透過型表示装置２０それぞれが異なる画像を表示する場合には、前面側から視認される適正な複数画像の位置関係と、背面側から視認される適正な複数画像の位置関係とを異ならせることが可能となる。
【００７４】
上述したように第６実施の形態によれば、画像を反転させた際に、その反転画像を任意の位置に表示できるため、視認の利便性を向上することができる。
【００７５】
なお、上述した各実施の形態では、透過型の液晶パネルを用いた液晶表示装置を例として説明したが、これは一例であり、両面からの画像の視認が可能であって、前面側から視認される表示画像が裏返った表示画像を背面側から視認する他の種類の表示装置にも本発明を適用できることは勿論である。
【符号の説明】
【００７６】
１  液晶パネル（表示パネル）
２  第１タッチパネル（受付手段）
３  第２タッチパネル（受付手段）
４  判定部
１０  画像処理部
１１  主制御部（判断手段）
１２  表示制御部
１３  反転部（反転手段）
１３ａ  メモリ制御部
１３ｂ  バッファメモリ
１４  領域特定部
１５  領域サイズ変更部（変更手段）
１６  画像変倍部（変倍手段）
１７  計時部（計時手段）
１８  タッチ操作計数部（計数手段）
２０  透過型表示装置
２１  選択部
２２  表示位置制御部（位置変更手段）
３０  画像メモリ
４０  領域データメモリ
【図１】
0005783773.tif 000002
【図２】
0005783773.tif 000003
【図３】
0005783773.tif 000004
【図４】
0005783773.tif 000005
【図５】
0005783773.tif 000006
【図６】
0005783773.tif 000007
【図７】
0005783773.tif 000008
【図８】
0005783773.tif 000009
【図９】
0005783773.tif 000010
【図１０】
0005783773.tif 000011
【図１１】
0005783773.tif 000012